(57)【要約】【課題】背杆の露出部を、構造の簡単な単一の背杆カバーにより、容易に覆いうるとともに、背杆に何ら加工を施すことなく、背杆カバーを容易に位置決めして装着しうるようにした椅子を提供する。【解決手段】背杆カバー１５を、背杆１１における背当て１２から下方に延出する前向屈曲部１１aを覆いうる、上端にほぼ水平の上片１６aを有する上部カバー部１６と、この上部カバー部１６の下端より前向きに延出し、背杆１１の前向部分を覆いうる下部カバー部１８とを備えるものとし、上片１６aに設けた挿通孔２１に、背杆１１を嵌合し、かつ背杆１１の前端部の開口部を、下部カバー部１８の前端部の下向片１８aに設けた差込片２５に圧嵌することにより、背杆カバー１５を背杆１１の露出部に装着する。【選択図】  図５
2010004946.tif 000002
【特許請求の範囲】
【請求項１】
座体の後部より起立し、上部に背当てが取付けられた背杆における前記背当てより下方の露出部を、背杆カバーにより覆ってなる椅子において、
前記背杆カバーを、前記背杆における背当てから下方に延出する前向屈曲部を覆いうる、上端にほぼ水平の上片を有する上部カバー部と、この上部カバー部の下端より前向きに延出し、前記背杆における前向屈曲部より前方に延出する前向部分を覆いうる下部カバー部とを備えるものとし、前記上片に設けた挿通孔に前記背杆を嵌合し、かつ背杆の前端面と前記下部カバー部の前端部に設けた下向片の後面とのいずれか一方に設けた開口部に、同じく他方に設けた差込み部を圧嵌することにより、背杆カバーを前記背杆の露出部に装着したことを特徴とする椅子。
【請求項２】
上部カバー及び下部カバーを、背杆の前面と上面と左右両側面とを覆い、かつ後方と下方に開口するＵ字状断面としてなる請求項１記載の椅子。
【請求項３】
背杆を左右１対よりなるものとし、かつ背杆カバーを、前記両背杆における背当てから下方の前向屈曲部までの部分を左右に跨って覆いうる大きさの上部カバー部の両側部下端に、前記左右の背杆の前向部分を覆う左右１対の下部カバー部を連設したものとしてなる請求項１または２記載の椅子。
【請求項４】
背杆がパイプよりなり、その前端部を開口部として、下部カバー部の前端部における下向片に設けた後方を向く差込み部に圧嵌してなる請求項１〜３のいずれかに記載の椅子。
【請求項５】
開口部に差込み部を圧嵌したとき、上部カバー部における上片の上面が、背当ての下面に当接するようにしてなる請求項１〜４のいずれかに記載の椅子。
【請求項６】
上部カバー部における上片の後端に、背当ての下端部の後面に当接する起立片を突設してなる請求項１〜５のいずれかに記載の椅子。
【請求項７】
上片を、背当ての下面にねじ止めしてなる請求項１〜６のいずれかに記載の椅子。
【請求項８】
上部カバー部の裏面に、上端が上片の下面に接続された左右複数の縦リブを設けてなる請求項１〜７のいずれかに記載の椅子。
【発明の詳細な説明】
【技術分野】
【０００１】
本発明は、座体の後部より起立し、かつ上部に背当てが取付けられた背杆の下部における露出部を、カバーにより覆ってなる椅子に関する。
【背景技術】
【０００２】
このような、背杆の下部における露出部を、カバーにより覆ってなる椅子は公知である(例えば特許文献１及び２参照)。
【特許文献１】特開平１１−３４６８６４号公報
【特許文献２】特許第３００８２６３号公報
【発明の開示】
【発明が解決しようとする課題】
【０００３】
上記特許文献１に記載されている椅子においては、座体の後部より起立する左右の背杆(背フレーム)の下部を、左右別々のカバーにより覆い、かつねじにより背杆に固定して、カバーの位置ずれを防止しているので、部品点数が増えるとともに、カバーの取付けにも手間がかかる。
特許文献２に記載の椅子においては、背杆の下部を、前後別々のカバーにより覆っているので、上記と同様、部品点数が増える。また、前後のカバー同士を互いに係着する係合手段を設け、かつ前後のカバーを背杆に位置決めして取付けるための係合孔や係止爪を、背杆及び前後のカバーに設けているので、前後のカバーの構造が複雑化するとともに、背杆に対する加工や取付工数が増え、コスト高となる。
【０００４】
本発明は、上記問題点に鑑みてなされたもので、背杆の下部における露出部を、構造の簡単な単一のカバーにより、容易に覆うことができ、かつ背杆に何らの加工を施すことなく、カバーを、容易に位置決めして装着しうるようにした椅子を提供することを目的としている。
【課題を解決するための手段】
【０００５】
本発明によると、上記課題は、次の各項のようにして解決される。
（１）座体の後部より起立し、上部に背当てが取付けられた背杆における前記背当てより下方の露出部を、背杆カバーにより覆ってなる椅子において、前記背杆カバーを、前記背杆における背当てから下方に延出する前向屈曲部を覆いうる、上端にほぼ水平の上片を有する上部カバー部と、この上部カバー部の下端より前向きに延出し、前記背杆における前向屈曲部より前方に延出する前向部分を覆いうる下部カバー部とを備えるものとし、前記上片に設けた挿通孔に前記背杆を嵌合し、かつ背杆の前端面と前記下部カバー部の前端部に設けた下向片の後面とのいずれか一方に設けた開口部に、同じく他方に設けた差込み部を圧嵌することにより、背杆カバーを前記背杆の露出部に装着する。
【０００６】
このような構成とすると、背杆を、構造の簡単な単一の背杆カバーにおける上部カバーの上片の挿入孔より挿し込むだけの簡単な作業で、背杆における背当てより下方の露出部を容易に覆うことができ、部品点数や取付工数が削減される。
また、背杆カバーは、背杆の前端面と下部カバー部の前端部に設けた下向片の後面との対向面のいずれか一方に設けた開口部に、他方に設けた差込み部を圧嵌することにより、位置決めされて装着されるので、背杆には、背杆カバーの取付けや位置決めのための加工を殆ど施す必要がない。
【０００７】
（２）上記(１)項において、上部カバー及び下部カバーを、背杆の前面と上面と左右両側面とを覆い、かつ後方と下方に開口するＵ字状断面とする。
【０００８】
このような構成とすると、背杆の前向部分が長くても、上片の挿通孔より挿入した背杆の前向部を上向きに回動させて、下方より背杆カバー内に容易に挿入することができる。
また、挿通孔の大きさを大とする必要がないので、体裁がよくなる。
【０００９】
（３）上記(１)または(２)項において、背杆を左右１対よりなるものとし、かつ背杆カバーを、前記両背杆における背当てから下方の前向屈曲部までの部分を左右に跨って覆いうる大きさの上部カバー部の両側部下端に、前記左右の背杆の前向部分を覆う左右１対の下部カバー部を連設したものとする。
【００１０】
このような構成とすると、背杆が左右１対よりなっていても、それらの露出部を、単一の背杆カバーにより容易に覆うことができる。
また、左右の背杆における背当てから下方の前向屈曲部までの部分が、左右に跨って、上部カバー部により覆われているので、椅子の見栄えがよくなる。
【００１１】
（４）上記(１)〜(３)項のいずれかにおいて、背杆がパイプよりなり、その前端部を開口部として、下部カバー部の前端部における下向片に設けた後方を向く差込み部に圧嵌する。
【００１２】
このような構成とすると、背杆に何ら加工を施すことなく、これに、背杆カバーを、位置決めして容易に装着することができる。
【００１３】
（５）上記(１)〜(４)項のいずれかにおいて、開口部に差込み部を圧嵌したとき、上部カバー部における上片の上面が、背当ての下面に当接するようにする。
【００１４】
このような構成とすると、装着後の背杆カバーが安定し、上下方向にがたつくことがない。
【００１５】
（６）上記(１)〜(５)項のいずれかにおいて、上部カバー部における上片の後端に、背当ての下端部の後面に当接する起立片を突設する。
【００１６】
このような構成とすると、装着後の背杆カバーが、前後方向にがたつくのが防止される。
また、背当てから下方に延出する前向屈曲部と背当ての下端部の後面とを、単一の背杆カバーにおける上部カバー部により連続して覆いうるので、椅子の意匠性及び見栄えが向上する。
【００１７】
（７）上記(１)〜(６)項のいずれかにおいて、上片を、背当ての下面にねじ止めする。
【００１８】
このような構成とすると、背杆カバーに下方及び前向きの強い力が加わっても、これが背杆より外れる方向に移動する恐れがない。
【００１９】
（８）上記(１)〜(７)項のいずれかにおいて、上部カバー部の裏面に、上端が上片の下面に接続された左右複数の縦リブを設ける。
【００２０】
このような構成とすると、上部カバー部における上片の下方の裏面の隅部が、複数の縦リブにより補強され、その部分の曲げ強度が大となるので、大きな曲げ荷重が加わる背杆の前向屈曲部を、上部カバー部により補強することができる。
【発明の効果】
【００２１】
本発明によれば、背杆を、構造の簡単な単一の背杆カバーにおける上部カバーの上片の挿入孔より挿し込むだけの簡単な作業で、背杆における背当てより下方の露出部を容易に覆うことができ、部品点数や取付工数が削減される。
また、背杆カバーは、背杆の前端面と下部カバー部の前端部に設けた下向片の後面との対向面のいずれか一方に設けた開口部に、他方に設けた差込み部を圧嵌することにより、位置決めされて装着されるので、背杆には、背杆カバーの取付けや位置決めのための加工を殆ど施す必要がない。
【発明を実施するための最良の形態】
【００２２】
以下、本発明の実施形態を、図面に基づいて説明する。
図１は、本発明の椅子の側面図、図２は、同じく後方斜視図で、椅子１は、脚体２と、座体３と、背凭れ４とを備えている。
【００２３】
脚体２は、内部に高さ調節用のガススプリング(図示略)が収容された筒状の脚柱５と、その下部外周面に固着された、先端にキャスタ６を有する放射方向を向く５本の脚杆７とからなり、脚柱５の上端には、前後方向を向く支基８より垂下する支持杆８aが、水平回動可能に取付けられている。
【００２４】
座体３は、支基８に固着された合成樹脂製の座板９と、その上面に取付けられたクッション体１０とからなり、座板９は、上記支基８の上面に取付けられている。
【００２５】
背凭れ４は、金属パイプの中間部を、前向屈曲部１１aを介して、側面視前向くの字状に屈曲して形成された左右１対の背杆１１、１１と、それらの上半部に取付けられた背当て１２とからなり、背当て１２は、合成樹脂製の背板１３の前面にクッション材１４を取付けてなっている。
【００２６】
左右の背杆１１、１１における背当て１２よりも下方の露出部、すなわち前向屈曲部１１aから支基８に向かう前向部分には、合成樹脂製の背杆カバー１５が、次のようにして装着されている。
【００２７】
図３〜図６に示すように、背杆カバー１５は、左右の背杆１１、１１の外側寸法よりも左右幅が大きく、かつ左右の背杆１１、１１における前向屈曲部１１aから背当て１２の下端までの露出部を、左右に跨って覆いうる上下寸法の側面視前向Ｌ字状の上部カバー部１６と、この上部カバー部１６の下端の湾曲部１７の前端の両側部より、斜め前下方に向かって互いに平行に延出し、左右の背杆１１、１１の前向屈曲部１１a、１１aよりも前方の前向部分を覆いうる左右１対の下部カバー部１８、１８とを備え、各下部カバー１８の前端には、背杆１１の前端を覆いうる下向片１８aが連設されている。
【００２８】
上部カバー部１６と湾曲部１７の裏面には、上端が上部カバー部１６における上端の後方を向く上片１６aの下面に接続された左右複数の縦リブ１９を突設して、上部カバー部１６の曲げ強度を高めてある。
【００２９】
上部カバー部１６、湾曲部１７、及び下部カバー部１８は、それぞれ、左右の背杆１１の露出部における前面と上面と左右両側面とを覆いうるＵ字状断面とされ、それらの裏面には、左右の背杆１１の露出部へ嵌合しうる嵌合溝２０、２０が、連続して形成されている。上部カバー部１６のほぼ水平をなす上片１６aの両側部には、左右の背杆１１を上方より挿入可能な挿通孔２１、２１が、両嵌合溝２０の上端と連通するようにして穿設されている。
また、上部カバー部１６の上片１６aの後縁には、背板１３の下端部の後面中央に形成された凹部２２に適正に嵌まり込む起立片２３が突設されている。
【００３０】
左右の下部カバー部１８における前端の下向片１８aの後面と前端部の裏面には、左右２個の縦リブ状の挟持片２４、２４と、それより前後寸法の長い差込片２５とが、差込片２５の後端部に形成された、背杆１１の前端部が圧嵌可能な上下寸法の差込み部２５aが、両ストッパ片２４間において、それらの後端よりも後方に突出するようにして、下向きに突設されている。
【００３１】
左右の背杆１１に背杆カバー１５を装着するには、まず、背杆１１の前向部分が下傾するように背凭れ４を前傾させるか、もしくは、上部カバー部１６が下方となるように背杆カバー１５全体を起立させて、背杆カバー１５における上部カバー部１６の左右の挿通孔２１より、両背杆１１を前向屈曲部１１a付近まで挿入したのち、背杆１１または下部カバー部１８を互いに近接する方向に回動させて、下部カバー部１８の嵌合溝２０内に背杆１１を下方より遊嵌する。
【００３２】
ついで、図５及び断面図である図６に示すように、左右の背杆１１の前端開口部に、左右の下部カバー部１８における差込片２５の差込み部２５aを、背杆１１の前端部の両側面が、左右の挟持片２４により挟持されるまで圧嵌する。このようにして、背杆１１の前端部に差込み部２５aに圧嵌すると、上部カバー部１６の上片１６aが、背当て１２の下面に当接するとともに、起立片２３が、背板１３の後面下部の凹部２２に嵌まり込む。従って、背杆カバー１５の装着後において、これが前後及び上下方向に動くのが防止される。
【００３３】
ついで、上部カバー部１６の上片１６aを、背当て１２の下面に、上片１６aの下方より挿入した左右２個の止めねじ２６により固定すれば、背杆カバー１５の取付けは完了し、左右の背杆１１における背当て１２より露出する部分の前面、上面、及び左右の両側面が、背杆カバー１５により体裁よく覆われる。
【００３４】
このように、左右の背杆１１を、比較的構造の簡単な合成樹脂よりなる単一の背杆カバー１５内に、上方より挿入するだけの簡単な作業で、左右の背杆１１における背当て１２より下方の露出部を容易に覆うことができるので、部品点数や取付工数が削減される。
【００３５】
また、背杆１１に、背杆カバー１５取付用の加工を何ら施す必要がないだけでなく、背杆１１の前端開口部を、下部カバー部１８の前端部下面の差込片２５に圧嵌することにより、背杆カバー１５を位置決めして装着しているので、背杆１１に、位置決め用の加工を施す必要もない。
【００３６】
さらに、背杆カバー１５の上部の起立片２３は、背板１３の後面下部に当接し、かつ上部カバー部１６の裏面は、複数の縦リブ１９により補強され、曲げ強度が大となっているので、大きな曲げ荷重が加わる背杆１１の前向屈曲部１１aを、上部カバー部１６により補強することができる。
【００３７】
しかも、上記のように、起立片２３を背板１３の下端部の後面に当接させると、装着後の背杆カバー１５が前後方向にがたつくのが防止されるとともに、背当て１２から下方に延出する前向屈曲部１１aと背板１３の下端部の後面とが、単一の背杆カバー１５における上部カバー部１６により連続して覆われるので、椅子の意匠性及び見栄えが向上する。
【００３８】
なお、上述したように、装着後の背杆カバー１５は、前後及び上下方向に移動するのが防止されているので、止めねじ２６による背当て１２の下面へのねじ止め作業を、省略することもある。
また、上記実施形態では、背杆１１の前端部を、下部カバー部１８の下向片１８aの後面に設けた差込み部２５aに圧嵌しているが、それとは反対に、差込み部が突設された塞ぎ片等を、背杆１１の前端に固着し、この差込み部を、下向片１８aの後面に設けた、後方に開口する開口部に圧嵌するようにしてもよい。
【００３９】
さらに、上部カバー部１６の上片１６aに突設した起立片２３は、省略して実施することもある。
【００４０】
図７〜図１１に示すように、上記の背杆カバー１５が装着された背凭れ４における左右の背杆１１は、支基８の後部の後下方を向く傾斜突部８bの下面における斜め後上方に向かって傾斜する傾斜面２７に、板金よりなる挟持部材２８により、次のようにして取付けられている。
【００４１】
挟持部材２８における方形をなす基板２８aの左右両側部には、左右の背杆１１の下半部の外周面を摺動可能に保持可能なＵ字状断面の挟持部２８b、２８bが、また、両挟持部２８a間において基板２８aの上下の端縁には、支基８における傾斜突部８bの上下の面に遊嵌可能な上向片２８c、２８cが、それぞれプレス等により一体的に形成されている。
【００４２】
挟持部材２８の基板２８aの中央部に穿設された通孔２９には、下端部に操作つまみ３０が相対回転不能に固嵌された締付けねじ３１が挿通され、この締付けねじ３１は、支基８の傾斜突部８bを貫通して、その上面に溶接されたナット３２に螺合されている。
締付けねじ３１の上端には、抜け止めワッシャ３３がボルト３４により固定され、締付けねじ３１を最大限緩めても、支基８の傾斜突部８bより抜け外れることのないようにしてある。
【００４３】
挟持部材２８と支基８の傾斜突部８bとには、挟持部材２８の脱落防止手段３５が設けられている。この脱落防止手段３５は、挟持部材２８の基板２８aの後端部に穿設されたテーパ孔３６に下方より挿入され、かつ支基８の傾斜突部８bに穿設された通孔３７を貫通して上方に突出する皿ねじ３８と、皿ねじ３８に遊嵌された２枚の平ワッシャ３９、３９と、それらの間に縮設された圧縮コイルばね４０と、上位の平ワッシャ３９の上面を押圧するようにして、皿ねじ３８の上端部に螺合されたナット４１とからなっている。
【００４４】
挟持部材２８は、圧縮コイルばね４０により、傾斜突部８bの傾斜面２７と当接する方向に常時付勢され、支基８の傾斜突部８bより脱落するのが防止されている。また、図１２に示すように、締付けねじ３１を緩めることにより、挟持部材２８を、圧縮コイルばね４０の圧縮範囲内において、傾斜突部８bの傾斜面２７より下方に離間させることができる。この際、上下の上向片２８cが、挟持部材２８の下方への移動をガイドをするとともに、締付けねじ３１回りに挟持部材２８が回動するのを防止する。
【００４５】
なお、上記操作つまみ３０と一体の締付けねじ３１、抜け止めワッシャ３３、ナット３４、挟持部材２８及びその脱落防止手段３５は、椅子の製造または組立工程等において予め支基８に組み付けられ、この状態で出荷される。
【００４６】
左右の背杆１１を支基８の傾斜突部８bに取付けるには、まず図７に示すように、締付けねじ３１を緩める方向に操作つまみ３０を回動操作し、これを挟持部材２８より離間させる。
【００４７】
ついで、図８に示すように、左右の背杆１１及びそれに装着した背杆カバー１５の下部カバー部１８を、斜め後上方より、傾斜突部８bの傾斜面２７と挟持部材２８の左右の挟持部２８b、２８bとの間に形成された空間内に挿入し、図１０に示すように、両背杆１１の下半部と下部カバー部１８の上面を、挟持部２８bとカバー部１８の上面を傾斜突部８bの傾斜面２７とにより挟持する。この際、上述したように、圧縮コイルばね４０を圧縮させて挟持部材２８を下方に移動させると、挿入空間を広げることができるので、左右の背杆１１を、下部カバー部１８と共に簡単に挿入することができる。
【００４８】
ついで、操作つまみ３０の上面が挟持部材２８の基板２８aの下面に圧接するまで、締付けねじ３１を締め込むと、左右の背杆１１は、支基８における傾斜突部８bの傾斜面２７と挟持部材２８とにより挟持されて、支基８の傾斜突部８bに固定される。この際、挟持部材２８における左右の挟持部２８bの側端上部は、左右の下部カバー部１８内に位置し、外部に露呈するのが防止される(図１０参照)。
【００４９】
また、支基８の傾斜突部８bの傾斜面２７に、挟持部材２８を、締付けねじ３１により締め付けると、その基板２８aの上下の上向片２８cが、傾斜突部８bの上下両面に嵌合されるので、背凭れ４及び挟持部材２８が締付けねじ３１回りの回動するのが防止される。
背杆１１の固定後において、操作つまみ３０を若干緩めて、背杆１１を、支基８の傾斜突部８bの傾斜面２７に沿って斜め上下方向にスライドさせることにより、背凭れ４の前後位置と上下位置とを同時に調節することができる。
【００５０】
このように、支基８における傾斜突部８bの傾斜面２７に、挟持部材２８を、脱落防止手段３５により下方に移動可能に予め取付けておき、この挟持部材２８と傾斜突部８bの傾斜面２７との間に、背凭れ４の背杆１１を斜め後上方より挟入して、操作つまみ３０と一体の締付けねじ３１により固定するようにすると、支基８の傾斜突部８bへの背杆１１の取付けを、椅子の購入者が簡単に行いうるとともに、着脱も容易となる。
【００５１】
従って、椅子を工場や倉庫等より出荷する際に、座体３と背凭れ４とを分離し、それらを別々に梱包して出荷することができ、梱包資材や荷姿が小さくなって、輸送効率が向上する。なお、締付けねじ３１に設けた抜け止めワッシャ３３や、それを固定するナット３４は、必ずしも必要ではなく、これらを省略して、例えば操作つまみ３０と一体をなす締付けねじ３１を、背凭れ４の取付時に後からナット３２に螺合するようにしてもよい。
【００５２】
また、脱落防止手段３５の圧縮コイルばね４０は、搬送時等において、挟持部材２８のがたつきを防止するためのものであるが、この圧縮コイルばね４０を省略し、単に挟持部材２８を、支基８の傾斜面２７に対し移動可能に取付けてもよい。
【図面の簡単な説明】
【００５３】
【図１】本発明の椅子の側面図である。
【図２】同じく、後方斜視図である。
【図３】背杆カバーの斜視図である。
【図４】同じく、後下方より見た斜視図である。
【図５】背杆に背杆カバーを装着した状態を後下方より見た斜視図である。
【図６】同じく、背杆カバー装着後の要部の拡大縦断側面図である。
【図７】支基への背杆取付前の要部の側面図である。
【図８】同じく、背杆取付後の要部の側面図である。
【図９】同じく、背杆取付後の状態を後下方より見た座体の要部の斜視図である。
【図１０】図８のX-X線拡大横断端面図である。
【図１１】図９のXI-XI線拡大縦断端面図である。
【図１２】同じく、操作つまみと一体の締付けねじを緩めて挟持部材を支基より離間させた状態の拡大縦断端面図である。
【符号の説明】
【００５４】
１    椅子
２    脚体
３    座体
４    背凭れ
５    脚柱
６    キャスタ
７    脚杆
８    支基
８a   支持杆
８b   傾斜突部
９    座板
１０  クッション体
１１  背杆
１１a 前向屈曲部
１２  背当て
１３  背板
１４  クッション材
１５  背杆カバー
１６  上部カバー部
１６a 上片
１７  湾曲部
１８  下部カバー部
１８a 下向片
１９  縦リブ
２０  嵌合溝
２１  挿通孔
２２  凹部
２３  起立片
２４  挟持片
２５  差込片
２５a 差込み部
２６  止めねじ
２７  傾斜面
２８  挟持部材
２８a 基板
２８b 挟持部
２８c 上向片
２９  通孔
３０  操作つまみ
３１  締付けねじ
３２  ナット
３３  抜け止めワッシャ
３４  ボルト
３５  脱落防止手段
３６  テーパ孔
３７  通孔
３８  皿ねじ
３９  ワッシャ
４０  圧縮コイルばね
４１  ナット
【図１】
2010004946.tif 000003
【図２】
2010004946.tif 000004
【図３】
2010004946.tif 000005
【図４】
2010004946.tif 000006
【図５】
2010004946.tif 000007
【図６】
2010004946.tif 000008
【図７】
2010004946.tif 000009
【図８】
2010004946.tif 000010
【図９】
2010004946.tif 000011
【図１０】
2010004946.tif 000012
【図１１】
2010004946.tif 000013
【図１２】
2010004946.tif 000014